(57)【要約】【課題】施工性の良い長尺体カバー固定具を提供すること。【解決手段】長尺体を沿わせて配置させる固定対象物に対して固定される基部１１と、前記基部１１よりも前記固定対象物から離れた側に位置し、前記長尺体を前記固定対象物の表面から離す脚部１２と、前記脚部１２よりも前記固定対象物から離れた側に位置し、前記長尺体を覆う長尺体カバー２を固定部材６により固定する台座部１３と、を備える、長尺体カバー固定具１である。【選択図】図６
2020173019.tif 000002
【特許請求の範囲】
【請求項１】
長尺体を沿わせて配置させる固定対象物に対して固定される基部と、
前記基部よりも前記固定対象物から離れた側に位置し、前記長尺体を前記固定対象物の表面から離す脚部と、
前記脚部よりも前記固定対象物から離れた側に位置し、前記長尺体を覆う長尺体カバーを固定部材により固定する台座部と、を備える、長尺体カバー固定具。
【請求項２】
前記固定部材は、前記台座部に差し込まれることで前記固定がなされる差込部材であり、
前記台座部は、前記長尺体カバーにおいて前記固定対象物に近い側の背面に当接するカバー支持面と、差し込まれた前記差込部材を外れないように保持できる差込部材保持部と、を備える、請求項１に記載の長尺体カバー固定具。
【請求項３】
前記カバー支持面には、前記差込部材を前記台座部に差し込む際に当該差込部材を受容する差込部材用凹部が形成されている、請求項２に記載の長尺体カバー固定具。
【請求項４】
前記差込部材用凹部は、前記長尺体の延びる方向に沿って延びる溝である、請求項３に記載の長尺体カバー固定具。
【請求項５】
前記台座部の、前記固定対象物の表面に沿う方向であって、前記長尺体の延びる方向に対する直交方向の両端部から延長して形成され、前記長尺体カバーを外方から挟むカバー保持部を更に備える、請求項１〜４のいずれかに記載の長尺体カバー固定具。
【発明の詳細な説明】
【技術分野】
【０００１】
本発明は、エアコン配管等の長尺体を覆って保護する長尺体カバーを建物の壁面等に固定する際に用いる長尺体カバー固定具に関するものである。
【背景技術】
【０００２】
長尺体カバー固定具として、例えば特許文献１に記載の構成が提案されている。特許文献１に記載の長尺体カバー固定具は、長尺体カバーにおけるカバー本体部を把持する本体固定部と、カバー本体部に係止される蓋部材を把持する蓋部材固定部とからなる。そして、本体固定部は躯体（建築物）側への取付け部を備え、蓋部材固定部の両端部と本体固定部の両端部とを各端部別に連結する連結部を各両端部に備えている。
【０００３】
しかし、この構成では、長尺体カバーにおけるカバー本体部は本体固定部により把持されているに過ぎない。このため、施工中にカバー本体部が長尺体カバー固定具から外れてしまうことがあって、スムーズな施工ができない場合があった。このため、施工性について改良の余地があった。
【先行技術文献】
【特許文献】
【０００４】
【特許文献１】特開平１０−２９９９４９号公報
【発明の概要】
【発明が解決しようとする課題】
【０００５】
そこで本発明は、施工性の良い長尺体カバー固定具を提供することを課題とする。
【課題を解決するための手段】
【０００６】
本発明は、長尺体を沿わせて配置させる固定対象物に対して固定される基部と、前記基部よりも前記固定対象物から離れた側に位置し、前記長尺体を前記固定対象物の表面から離す脚部と、前記脚部よりも前記固定対象物から離れた側に位置し、前記長尺体を覆う長尺体カバーを固定部材により固定する台座部と、を備える、長尺体カバー固定具である。
【０００７】
この構成によれば、カバーを固定部材により台座部に固定できる。このため、施工中にカバーが台座部から外れてしまうことがない。
【０００８】
また、前記固定部材は、前記台座部に差し込まれることで前記固定がなされる差込部材であり、前記台座部は、前記長尺体カバーにおいて前記固定対象物に近い側の背面に当接するカバー支持面と、差し込まれた前記差込部材を外れないように保持できる差込部材保持部と、を備えることもできる。
【０００９】
この構成によれば、固定部材が差込部材であることにより、固定部材を台座部へ簡単に固定できる。また、カバー支持面によりカバーを確実に保持できる。また、差込部材保持部により差込部材を確実に保持できる。
【００１０】
また、前記カバー支持面には、前記差込部材を前記台座部に差し込む際に当該差込部材を受容する差込部材用凹部が形成されていてもよい。
【００１１】
この構成によれば、長尺体カバーを貫通した差込部材を差込部材用凹部に導いて受容できるので、差込部材が幅方向にずれてしまいにくい。また、差込部材の先端がカバー支持面上で滑ることを抑制できるため作業性が良い。
【００１２】
また、前記差込部材用凹部は、前記長尺体の延びる方向に沿って延びる溝であってもよい。
【００１３】
この構成によれば、長尺体の延びる方向での自由度をもって差込部材を台座部に差し込むことができるので、作業性が良い。
【００１４】
また、前記台座部の、前記固定対象物の表面に沿う方向であって、前記長尺体の延びる方向に対する直交方向の両端部から延長して形成され、前記長尺体カバーを外方から挟むカバー保持部を更に備えることもできる。
【００１５】
この構成によれば、カバー保持部がカバーを挟んで保持するため、固定部材によりカバーを台座部に固定する前の状態でカバーを台座部に仮止めできる。
【発明の効果】
【００１６】
本発明によると、施工中にカバーが台座部から外れてしまうことがない。このため、施工性の良い長尺体カバー固定具を提供できる。
【図面の簡単な説明】
【００１７】
【図１】本発明の一実施形態に係る長尺体カバー固定具の適用例であって、長尺体がエアコンの冷媒配管等である場合を示す斜視図である。
【図２】前記長尺体カバー固定具の使用例であって、構造物の表面に、長尺体カバー、ウォールコーナー、端末部材と共に設けられた状態を示す斜視図である。
【図３】図２におけるIII−III矢視での拡大断面図である。
【図４】図２に示した状態の底面図である。
【図５】前記長尺体カバー固定具を示す斜視図である。
【図６】前記長尺体カバー固定具を、長尺体カバー、脱落防止部（脱落防止バンド）、差込部材（タッピンねじ）、内側補強部材と共に示す分解斜視図である。
【図７】前記長尺体カバー固定具に対して、長尺体カバーにおけるベース部を仮止めした状態を示す斜視図である。
【図８】本発明の一実施形態に係るウォールコーナーを示す底面図である。
【図９】前記ウォールコーナーを構造物に取付けた状態を示す拡大縦断面図である。
【図１０】本発明の他の実施形態に係る長尺体カバー固定具を示す斜視図である。
【図１１】本発明の他の実施形態に係る長尺体カバー固定具を示す正面図である。
【図１２】本発明の他の実施形態に係る長尺体カバー固定具を示す斜視図である。
【図１３】（ａ）は、本発明の一実施形態に係る長尺体カバー固定具の使用例であって、長尺体カバー、ウォールコーナー、端末部材を組み合わせた状態を示す斜視図である。（ｂ）は前記状態を示す正面図である。
【図１４】（ａ）は前記状態を示す背面図である。（ｂ）は同平面図である。
【図１５】（ａ）は前記状態を示す底面図である。（ｂ）は同右側面図である。
【図１６】（ａ）は図１３（ａ）の１３Ａ−１３Ａ部の拡大図である。（ｂ）は図１３（ｂ）の１３Ｅ−１３Ｅ部における１３Ｂ−１３Ｂ拡大断面図である。
【図１７】（ａ）は図１３（ｂ）の１３Ｃ−１３Ｃ拡大断面図である。（ｂ）は図１３（ｂ）の１３Ｄ−１３Ｄ拡大断面図である。
【図１８】（ａ）は前記長尺体カバー固定具を示す斜視図である。（ｂ）は同正面図である。（ｃ）は同平面図である。（ｄ）は同底面図である。
【図１９】（ａ）は前記長尺体カバー固定具を示す右側面図である。（ｂ）は図１８（ｃ）の１８Ａ−１８Ａ拡大断面図である。
【図２０】（ａ）は本発明の他の実施形態に係る長尺体カバー固定具を示す斜視図である。（ｂ）は同正面図である。（ｃ）は同平面図である。（ｄ）は同底面図である。
【図２１】（ａ）は前記長尺体カバー固定具を示す右側面図である。（ｂ）は図２０（ｃ）の２０Ａ−２０Ａ拡大断面図である。（ｃ）は前記長尺体カバー固定具の適用例であって、長尺体がエアコンの冷媒配管等である場合を示す斜視図である。
【図２２】（ａ）は本発明の他の実施形態に係る長尺体カバー固定具を示す斜視図である。（ｂ）は同正面図である。（ｃ）は同平面図である。（ｄ）は同底面図である。
【図２３】（ａ）は前記長尺体カバー固定具を示す右側面図である。（ｂ）は図２２（ｃ）の２２Ａ−２２Ａ拡大断面図である。（ｃ）は前記長尺体カバー固定具の適用例であって、長尺体がエアコンの冷媒配管等である場合を示す斜視図である。
【図２４】（ａ）本発明の一実施形態に係るウォールコーナーを示す斜視図である。（ｂ）は同正面図である。（ｃ）は同平面図である。（ｄ）は同底面図である。
【図２５】（ａ）は前記ウォールコーナーを示す右側面図である。（ｂ）は同左側面図である。（ｃ）は図２４（ｃ）の２４Ａ−２４Ａ拡大断面図である。
【図２６】（ａ）本発明の他の実施形態に係るウォールコーナーを示す斜視図である。（ｂ）は同正面図である。（ｃ）は同平面図である。（ｄ）は同底面図である。
【図２７】（ａ）は前記ウォールコーナーを示す右側面図である。（ｂ）は同左側面図である。（ｃ）は図２６（ｃ）の２６Ａ−２６Ａ拡大断面図である。（ｄ）は前記ウォールコーナーの適用例であって、長尺体がエアコンの冷媒配管等である場合を示す斜視図である。
【図２８】（ａ）本発明の他の実施形態に係るウォールコーナーを示す斜視図である。（ｂ）は同正面図である。（ｃ）は同平面図である。（ｄ）は同底面図である。
【図２９】（ａ）は前記ウォールコーナーを示す右側面図である。（ｂ）は同左側面図である。（ｃ）は図２８（ｃ）の２８Ａ−２８Ａ拡大断面図である。（ｄ）は前記ウォールコーナーの適用例であって、長尺体がエアコンの冷媒配管等である場合を示す斜視図である。
【図３０】前記脱落防止部（脱落防止バンド）の他の形態を示す斜視図である。
【図３１】前記脱落防止部（脱落防止バンド）の他の形態を長尺体カバー固定具及び長尺体カバーに取り付けた状態を示す斜視図である。
【図３２】（ａ）は本発明の他の実施形態に係る長尺体カバー固定具を示す斜視図である。（ｂ）は同正面図である。（ｃ）は同平面図である。（ｄ）は同底面図である。
【図３３】（ａ）は前記長尺体カバー固定具を示す右側面図である。（ｂ）は図３２（ｃ）の３２Ａ−３２Ａ拡大断面図である。（ｃ）は前記長尺体カバー固定具の適用例であって、長尺体がエアコンの冷媒配管等である場合を示す斜視図である。
【図３４】（ａ）本発明の他の実施形態に係るウォールコーナーを示す斜視図である。（ｂ）は同正面図である。（ｃ）は同平面図である。（ｄ）は同底面図である。
【図３５】（ａ）は前記ウォールコーナーを示す右側面図である。（ｂ）は同左側面図である。（ｃ）は図３４（ｃ）の３４Ａ−３４Ａ拡大断面図である。
【発明を実施するための形態】
【００１８】
次に、本発明に係る長尺体カバー固定具１につき、一実施形態を取り上げて説明を行う。なお、図１３〜図２９、図３２〜図３５は、本実施形態及び他の実施形態の各部（組み合わせ、単体）を示す斜視図及び六面図である。なお、六面図につき、対称にあらわれる図については図示を省略している。
【００１９】
以下の説明において用いる方向の表現は、図１に示す、構造物Ｗへの長尺体カバー固定具１の設置時における方向についてである。また、以下の説明において用いる「幅方向」とは、構造物Ｗ（建築物等）の表面に沿う方向であって、かつ、長尺体Ｐの延びる方向（長手方向）に対する直交方向である。本実施形態では、構造物Ｗの表面に向かって見た場合の左右方向に該当する。ただし、長尺体Ｐ、長尺体カバー固定具１、長尺体カバー２の設置方向は図１に示す方向に限定されるものではない。
【００２０】
本実施形態の長尺体カバー固定具１は、図１に示すように、固定対象物としての構造物Ｗの表面（建築物等の壁面）に固定される。構造物Ｗの表面は例えば平面であって、以下ではその形態を前提として説明しているが、湾曲面や凹凸面等であってもよい。この長尺体カバー固定具１は、構造物Ｗの表面に沿って配置される長尺体Ｐ（例えば、図３に断面形状を示したように、エアコンの室内機と室外機Ａを結んで、両者間で冷媒の流通を行う冷媒配管やエアコンの室内機の排水を流すドレンホース）を外部から覆う、筒状の長尺体カバー２（一般には「ダクト」とも呼ばれる）を保持する。これにより、長尺体カバー２の内部に位置する長尺体Ｐも保持される。
【００２１】
長尺体Ｐは、例えばエアコンの室内機が設置された構造物Ｗの内部から構造物Ｗの表面に出され、構造物Ｗの表面から所定距離分浮いた状態で、構造物Ｗの表面に沿って配置される（図１、図２には長尺体Ｐ自体は示していない）。本実施形態の長尺体Ｐは、構造物Ｗの表面に出た部分で略垂直方向に曲げられ、構造物Ｗの表面に対して平行であり、下方へ直線方向に延びるように配置され、例えばエアコンの室外機Ａまで至る。ただし、長尺体Ｐの構造物Ｗに対する配置はこれに限定されず、構造物Ｗの表面に対する距離が長手方向で変化してもよいし、構造物Ｗの表面に対する平面視で湾曲していてもよい。
【００２２】
長尺体カバー２は、図３に示すように、構造物Ｗに近い側に位置するベース部２１と、構造物Ｗから遠い側に位置し、ベース部２１に組み合わせられる覆い部２２を備える。長尺体カバー２は樹脂製であり、例えば押し出し成型によって形成されている。ベース部２１と覆い部２２の組み合わせは、例えば図３に示されるような嵌合によってなされる。ベース部２１の幅方向中央における内面からは凸条２２１が突出している。この凸条２２１により、ベース部２１の長手方向における曲げ強度が向上する。また、図３に示すように凸条２２１に長尺体Ｐを沿わせることで、長尺体カバー２の内部において長尺体Ｐを安定的に配置できる。
【００２３】
本実施形態の長尺体カバー固定具１は、図３及び図５に示すように、設置時に構造物Ｗの表面に近い側から離れた側に向かう順に、基部１１、脚部１２、台座部１３を備える。本実施形態の長尺体カバー固定具１は樹脂製であって、各部が一体形成されている。本実施形態の長尺体カバー固定具１は中実に形成されているが、部分的に中空とすることもできる。また、図１に示す長尺体カバー固定具１の設置時における上下寸法は、例えば構造物Ｗへの配置間隔によって適宜決定できる。本実施形態の基部１１、脚部１２、台座部１３の組み合わせは、長尺体Ｐの延びる方向から見た場合、横倒しの略Ｈ字状となっている。
【００２４】
基部１１は、構造物Ｗに対して固定される部分である。図３に示すように、基部１１の底面１１１が構造物Ｗの表面に当接する。基部１１のうち、構造物Ｗへの設置時に構造物Ｗの表面に対して平面視した場合、脚部１２に覆われていない部分には、基部１１における厚み方向または高さ方向（構造物Ｗへの設置時に構造物Ｗの表面に対する法線方向、または、基部１１の底面１１１に対する法線方向）に貫通穴１１２が形成されている。この貫通穴１１２には、構造物Ｗに対してねじ込むことのできるねじが貫通する。ねじは、例えばタッピン（タッピング）ねじを用いることができる。
【００２５】
脚部１２は、長尺体Ｐを構造物Ｗの表面から離すために、基部１１に隣接して設けられた部分である。脚部１２は、基部１１よりも幅方向寸法が小さく形成されている。ただし、基部１１の幅方向寸法は特に限定されておらず、構造物Ｗへの設置時の安定性を考慮して種々に設定できる。よって、例えば脚部１２の幅方向寸法と一致していてもよいし、幅方向の一方だけが脚部１２から突出する寸法であってもよい。また、脚部１２の高さ寸法は種々に設定でき、図２０、図２１に示すように高さ寸法を大きくすることもできる。
【００２６】
台座部１３は、長尺体カバー２を固定部材６（図６参照）により固定するために、脚部１２に隣接して設けられた部分である。台座部１３は、脚部１２よりも幅方向寸法が大きく形成されている。ただしこれに限定されず、例えば、長尺体カバー固定具１を、後述の端末部材５を支持する固定具１Ａとして用いる場合、図１０に示すように、台座部１３が脚部１２と同幅であってもよい。
【００２７】
ここで、前記固定部材６は、台座部１３に差し込まれることで長尺体カバー２の固定がなされる差込部材６１である。差込部材６１の差し込み方向は、本実施形態では構造物Ｗの表面に対する法線方向であって、かつ、当該表面に近づく側の方向である。差込部材６１としては、例えば、螺合部材（具体的には、ねじ、特に、ねじ込みより軸部を対象物に食い込ませることのできるタッピンねじや木ねじ）、または、打込部材（具体的には、打撃により軸部等を対象物に食い込ませることのできる釘やステープル）等の、台座部１３に埋め込むことのできる部材（金具）が挙げられる。この差込部材６１は、埋め込み後に対象物に対して働く摩擦により、埋め込み状態が保たれる。
【００２８】
台座部１３は、長尺体カバー２において構造物Ｗに近い側の背面（設置時に構造物Ｗの表面に対向する面）に当接する面であるカバー支持面１３１と、差し込まれた差込部材６１を外れないように保持できる差込部材保持部１３２を備える。長尺体カバー２の背面は、本実施形態ではベース部２１に属している。カバー支持面１３１は、長尺体カバー２（ベース部２１）における外周面の形状に略一致した形状の面を有している。本実施形態では、カバー支持面１３１の幅方向中央部が、構造物Ｗの表面と平行な平面であって、幅方向両端部において、構造物Ｗの表面から離れるように反り上がった湾曲面とされている。カバー支持面１３１と長尺体カバー２（ベース部２１）における外周面の形状が略一致していることにより、両者を大きな隙間のないように略当接させることができる。また、カバー支持面１３１が構造物Ｗの表面と平行な平面を有することから、カバー支持面１３１に対して法線方向となるように差込部材６１を台座部１３に差し込むことが可能なので、作業者が差込部材６１の差し込み作業を行いやすい。
【００２９】
差込部材保持部１３２は、差し込まれた差込部材６１を外れないように保持できる部分である。前記保持は、差込部材６１が例えばねじ（具体的にはタッピンねじ）である場合には、ねじ山を有する軸部が差込部材保持部１３２に埋め込まれることでなされる。この場合、差込部材保持部１３２にねじ山が食い込むことで、タッピンねじを外れないように保持できる。また、差込部材６１が釘である場合もねじの場合と同様で、軸部が差込部材保持部１３２に埋め込まれる。この場合、差込部材保持部１３２と軸部との摩擦により、釘を外れないように保持できる。なお、差込部材６１の軸部は、長尺体カバー固定具１に差し込まれた状態で、台座部１３の差込部材保持部１３２を超えて脚部１２まで達していてもよい。
【００３０】
以上のように構成された長尺体カバー固定具１によると、長尺体カバー２を固定部材６により台座部１３に固定できる。このため、施工中に長尺体カバー２が台座部１３から外れてしまうことがない。また、固定部材６が差込部材６１であることにより、固定部材６を台座部１３へ簡単に固定できる。また、カバー支持面１３１に長尺体カバー２の背面を当接させることで、長尺体カバー２を確実に保持して固定部材６を台座部１３へ簡単に固定できる。また、差込部材保持部１３２により差込部材６１を確実に保持できる。よって、施工性が良好である。
【００３１】
台座部１３におけるカバー支持面１３１には、差込部材６１を台座部１３に差し込む際に、当該差込部材６１を受容する差込部材用凹部１３３が形成されている。この構成によると、長尺体カバー２を貫通した差込部材６１を、カバー支持面１３１における表面から一段低くなっている差込部材用凹部１３３に導いて受容できるので、カバー支持面１３１が均一な平坦面である場合に比べ、差込部材６１が幅方向にずれてしまいにくい。従って、差込部材６１の差し込み後にカバー支持面１３１に対して長尺体カバー２がずれて固定されてしまうことを避けられる。また、差込部材６１の先端がカバー支持面１３１上で滑ることを抑制できるため作業性が良い。
【００３２】
差込部材用凹部１３３は、構造物Ｗへの長尺体カバー固定具１の設置時において、長尺体Ｐの延びる方向（本実施形態では上下方向）に沿って延びる溝である。この構成によると、溝の長手方向での自由度をもって差込部材６１を台座部１３に差し込むことができるので、厳密な位置合わせが不要であることから作業性が良い。
【００３３】
台座部１３における幅方向両側であって、基部１１に形成された貫通穴１１２に一致する位置には工具用貫通穴１３４が形成されている。なお、前記「一致」とは、構造物Ｗの表面の法線方向で一致することである。工具用貫通穴１３４には、基部１１を構造物に固定する際に、工具の一部（例えばドライバーの軸部）を貫通させられる。このため、長尺体カバー固定具１が本実施形態のように、基部１１に対して台座部１３が覆うような形態であったとしても、工具を斜めに位置させることなく、構造物Ｗの表面の法線方向からの作業が簡単にできる。
【００３４】
本実施形態の長尺体カバー固定具１は、カバー保持部１４を更に備える。カバー保持部１４は、台座部１３の、構造物Ｗの表面に沿う方向であって、長尺体Ｐの延びる方向に対する直交方向、つまり、長尺体カバー２の幅方向における両端部から延長して形成された部分である。カバー保持部１４は台座部１３と一体に形成されている。このカバー保持部１４は、先端に内方に突出した爪部１４３を備えており、長尺体カバー２（具体的にはベース部２１）を外方から挟む。この構成によると、カバー保持部１４が長尺体カバー２を挟んで保持するため、固定部材６により長尺体カバー２を台座部１３に固定する前の状態で、長尺体カバー２を台座部１３に仮止めできる。このため、図７に示すように、長尺体カバー２（ベース部２１）を長尺体カバー固定具１に仮止めした状態で、作業者が長尺体カバー２から手を離して、例えば、固定部材６（差込部材６１）を準備することができる。このため、作業者による作業がスムーズになる。
【００３５】
台座部１３のカバー支持面１３１とカバー保持部１４の内面１４１は、本実施形態では、図５に示すように一連の湾曲面を形成している。この一連の湾曲面は、長尺体カバー２（ベース部２１）における外周面の形状に略一致した形状の面である。一連の湾曲面と長尺体カバー２（ベース部２１）における外周面の形状が一致していることにより、図３に示すように、両者を大きな隙間のないように略当接させることができる。また、台座部１３とカバー保持部１４が一まとまりの形態になることから、美観上優れている。
【００３６】
カバー保持部１４には、脱落防止部としての脱落防止バンド３が取り付けられるバンド取付部１４２が設けられている。脱落防止バンド３は、図６に示すように、長尺体カバー固定具１とは別体に形成された帯状で、２箇所の湾曲部を有する略Ｕ字形に形成されており、図１及び図２に示すように、長尺体カバー２の外周に沿って取り付けられる。本実施形態の脱落防止バンド３は板金製で、後述する凸部３１を含めて一体に形成されている。なお、脱落防止バンド３の材質は特に限定されず、例えば樹脂製であってもよい。バンド取付部１４２は、図５に示すように、カバー保持部１４の内面に、設置時に構造物Ｗの表面に対する法線方向に沿ってまっすぐ形成された凹溝である。この凹溝は広溝１４２１と狭溝１４２２の二段の溝で形成されている。広溝１４２１の幅寸法は、脱落防止バンド３の幅寸法と略同一（詳しくは、広溝１４２１の幅寸法がわずかに大きい）である。狭溝１４２２は、広溝１４２１の幅方向中央に形成された、広溝１４２１よりも幅が狭く、かつ、深さの大きい溝である。狭溝１４２２の幅寸法は、脱落防止バンド３における凸部３１の幅寸法と略同一（詳しくは、狭溝１４２２の幅寸法がわずかに大きい）である。このバンド取付部１４２に脱落防止バンド３が差し込まれる。差し込まれた状態で、バンド取付部１４２（凹溝）における下端部１４２３と脱落防止バンド３の両端部に形成された凸部３１とは嵌合し、脱落防止バンド３が容易に抜けないようにされる。
【００３７】
長尺体カバー固定具１に脱落防止バンド３が取り付けられることで、長尺体カバー２における、長尺体カバー固定具１の台座部１３とカバー保持部１４に接する部分以外が脱落防止バンド３によって保持される。このため、例えば強風を受けて、長尺体カバー２の覆い部２２がベース部２１から外れてしまう事態を抑制できる。
【００３８】
ここで、脱落防止部（本実施形態の脱落防止バンド３）につき、更に説明する。脱落防止部を設けることの背景について簡単に説明する。長尺体カバー２を構造物Ｗの表面から浮かして設置すると、構造物Ｗの表面に沿って吹く風が長尺体カバー２を挟んで通り抜ける。この際、長尺体カバー２における構造物Ｗの表面に近い側と遠い側との間で気圧差が生じることで長尺体カバー２が振動する場合があって、騒音発生（ビビリ音など）や長尺体カバー２が脱落するおそれがあった。脱落防止部は、この問題に対応するため設けられている。ここで、基部１１、脚部１２、台座部１３を備える長尺体カバー固定具１と脱落防止部とが組み合わされたものが長尺体カバー固定具セットである。
【００３９】
脱落防止バンド３は長尺体カバー固定具１に固定される。本実施形態の脱落防止バンド３はカバー保持部１４に固定される。ただしこれに限定されず、基部１１、脚部１２、台座部１３のいずれかに固定することもできる。脱落防止バンド３は長尺体カバー２の外周面に当接する。この当接は、全面的な当接であることは要さず、長尺体カバー２の外周面のうち少なくとも一部に当接していればよい。長尺体カバー固定具１に固定される脱落防止バンド３が長尺体カバー２の外周面に当接することで、壁面に沿って吹く風により生じる気圧差に対抗できる。
【００４０】
また、長尺体カバー固定具１と脱落防止バンド３の一方には係合部、他方には被係合部が形成されている。本実施形態の脱落防止バンド３には、係合部として凸部３１が形成されている。この凸部３１は、前記略Ｕ字形の両端部において外方に突出している。これに対応し、カバー保持部１４のバンド取付部１４２における内面には、被係合部として凹部が形成されている。本実施形態における凹部は、凹溝であるバンド取付部１４２における下端部１４２３の更に下方において、カバー保持部１４の厚み方向に貫通した貫通穴１４２４である。長尺体カバー固定具１と脱落防止バンド３を係合することにより、凸部３１と凹部（貫通穴１４２４）とを容易に固定できる。本実施形態の脱落防止バンド３は、バンド取付部１４２に差し込まれることで係合状態となる。このように、差し込みだけで脱落防止バンド３を取り付け完了できる。よって、差し込み時の作業性が良い。また、まっすぐ延びる凹溝とされたバンド取付部１４２に対し、幅寸法が略同一である帯状の脱落防止バンド３が誘導される。この誘導に関し、広溝１４２１によって脱落防止バンド３の本体が誘導され、狭溝１４２２によって脱落防止バンド３の凸部３１が誘導され、その結果、凸部３１がバンド取付部１４２における下端部１４２３に係合することで抜けなくなる。なお、脱落防止部（脱落防止バンド３）は、別体であるねじ等の取付具による取り付けがなされるものであってもよい。
【００４１】
そして、脱落防止バンド３の有する弾性により、長尺体カバー固定具１への取り付けに伴い係合部または被係合部が移動することで両者が嵌合状態となる。本実施形態では、係合部としての凸部３１が被係合部としての凹部（貫通穴１４２４）に対して、凸部３１が凹部（貫通穴１４２４）に一致した際に外方に移動する。凹凸嵌合により係合することから、係合のための構成を簡単にできる。また、脱落防止バンド３自体が有する弾性を利用するので、嵌合させるための別手段が不要である。本実施形態の脱落防止バンド３は板金製であるから、全体が弾性を有する。ただしこれに限らず、脱落防止部（脱落防止バンド３）の先端部等、一部だけが弾性を有する部分であってもよい。
【００４２】
本実施形態の凸部３１は、板金の折り曲げにより形成される。脱落防止バンド３における凸部３１は、バンド取付部１４２への差し込み方向（構造物Ｗの表面に近づく方向）に対して斜め後方に延びるように形成されている。この形状は、凸部３１における板金の折り曲げ方により実現される。このように凸部３１が形成されていることから、脱落防止バンド３の差し込み方向に対して凸部３１の延びる方向が鋭角で交差するので、差し込みの際の抵抗が低減されることにより、差し込みが容易である。そして差し込んだ後には、脱落防止バンド３における凸部３１の突出寸法が最も大きい位置で凹部（貫通穴１４２４）の縁部（バンド取付部１４２における下端部１４２３）に対して係合することから、脱落防止バンド３がバンド取付部１４２から抜けてしまいにくい。
【００４３】
脱落防止部の他の形態の一例を図３０、図３１に示す。図３０に示す脱落防止部（脱落防止バンド３）は、前記実施形態の脱落防止バンド３よりも幅広で、図３１に示すように、長尺体カバー固定具１におけるカバー保持部１４と略同幅とされている。この脱落防止バンド３は、内面に凸部３２が形成されており、カバー保持部１４に形成された凹部１４４に対し嵌合する（図３１参照）。
【００４４】
脱落防止部は、本実施形態の脱落防止バンド３のようなバンド状のものに限らず種々の形態とできる。また、脱落防止部が長尺体カバー２の外周形状よりも一回り大きく形成されることもできる。こうすることで、製造誤差等により長尺体カバー２に比べて脱落防止部の方が小さくなっていて、現場で取り付けられないことや、現場で無理に嵌めなければならないような事態を防止できる。なお、一回り大きく形成されていても、長尺体カバー２に対して部分的な当接がされれば、機能上大きな問題は生じない。
【００４５】
なお、本発明においてカバー保持部１４は必須ではなく、例えば図１０に示すように設けないこともできる。また、カバー保持部１４と同様、台座部１３の、長尺体カバー２の幅方向における両端部から延長して形成された部分ではあるものの、長尺体カバー２（具体的にはベース部２１）を外方から挟まずに、長尺体カバー２の外方に位置するだけのカバー側方部を形成することもできる（図示はしない）。このカバー側方部には、脱落防止部としての脱落防止バンド３が固定されることができる。また、カバー保持部１４やカバー側方部の高さ寸法については、本実施形態のものに限定されず、種々に変更できる。
【００４６】
また、本実施形態では、長尺体カバー２の上端部に接続されるウォールコーナー４が用いられている。このウォールコーナー４は、長尺体Ｐにおいて、構造物Ｗの内部から表面に出されて方向転換された部分を覆う部材であって、図１及び図２に示す外観を有している。
【００４７】
ウォールコーナー４の、構造物Ｗへの設置時において構造物Ｗの表面に対向する面には、図８に示すように、長尺体Ｐが通過する空間を囲むようにして、溝状のコーキング凹部４１が形成されている。このコーキング凹部４１にコーキング材を充填することにより、ウォールコーナー４と構造物Ｗの間で防水処理を行うことができる。また、作業者はコーキング凹部４１に沿ってコーキング材を充填していけばよいので、コーキング作業の際の作業性が良好である。
【００４８】
ウォールコーナー４には更に、図９に示すように、前記コーキング凹部４１から、構造物Ｗへの設置時において、構造物Ｗの表面に沿っており長尺体Ｐが通過する空間とは反対側に延びる鍔部４２が形成されている。この鍔部４２は、構造物Ｗへの設置時において構造物Ｗの表面から離れた位置に設けられる。構造物Ｗの表面と鍔部４２との間に形成される空間にコーキング材を充填することで、前記コーキング凹部４１に充填されたコーキング材の防水効果をより高めることができる。また、構造物Ｗの表面と鍔部４２との間に形成される空間は、径方向断面で四角形状の空間となる。このため、コーキング材を断面四角形状に充填できる。このため、例えば断面三角形状とされたコーキング材よりも防水のために働く体積を大きくできるため耐久性に優れる。また、作業者は鍔部４２に沿ってコーキング材を充填していけばよいので、コーキング作業の際の作業性が良好である。
【００４９】
ウォールコーナー４と構造物Ｗの表面との間に、ウォールコーナー４とは別部材であって、枠状とされたウォールコーナー用スペーサ（図示しない）を設けることもできる。ちなみに、長尺体カバー固定具１における基部１１と構造物Ｗの表面との間にも、長尺体カバー固定具１とは別部材であって、板状の長尺体カバー固定具用スペーサ（図示しない）を設けることもできる。各スペーサの有する厚み分、構造物Ｗの表面からウォールコーナー４または長尺体カバー２までの距離を大きくすることができる。このため、所望の位置関係に長尺体Ｐを配置させられる。
【００５０】
また、図６に示すように、長尺体カバー２の内面に沿う内側補強部材７を設けることもできる。この内側補強部材７は、長尺体カバー２よりも硬質でかつ弾性を有する材料、例えば金属板により形成されていて、長尺体カバー固定具１に一致する部分において、長尺体カバー２（ベース部２１）の背面の反対側である内面に沿う形状とされている。本実施形態では、長尺体カバー固定具１における台座部１３及びカバー保持部１４の内面に、長尺体カバー２（ベース部２１）越しで沿う形状（略同一形状）とされている。ただし、内側補強部材７を長尺体カバー固定具１と関係のない形状（例えば平ワッシャのような形状）とすることもできる。内側補強部材７には、ベース部２１の凸条２２１に一致させるため、長尺体カバー２の内面に沿わせた場合における長手方向に沿う段部７１が形成されている。内側補強部材７には例えば貫通穴７２が設けられている。本実施形態では段部７１に設けられている。この貫通穴７２に差込部材６１を通すことで、共締めにより内側補強部材７が長尺体カバー固定具１に固定される。固定状態では、段部７１がベース部２１の凸条２２１に嵌ることになるため、特に長尺体カバー２（ベース部２１）に対して内側補強部材７がずれることを抑制しつつ固定できる。この内側補強部材７も、長尺体カバー固定具１及び脱落防止部（本実施形態の脱落防止バンド３）と共に、前記長尺体カバー固定具セットに含まれる。
【００５１】
内側補強部材７を設けることで、長尺体カバー２が長尺体カバー固定具１と内側補強部材７で挟まれるため、長尺体カバー固定具１に対して長尺体カバー２を確実に固定できる。また、内側補強部材７は板状であって、長尺体カバー２の内面に沿う湾曲形状を有している。そして、本実施形態の内側補強部材７は金属板からなっている。このため、内側補強部材７にて前記湾曲形状がたわむように変形することにより、変形時の復元力が長尺体カバー２に対しての押し付け力になるため、長尺体カバー２に外力がかかっても、内側補強部材７が確実に長尺体カバー２を押さえられる。内側補強部材７は金属板に限られず、弾性を有する種々の板状体により形成できる。また、例えば長尺体カバー２の内部空間に余裕を持たせられる場合には、内側補強部材７をブロック状体とすることもできる。また、例えば、差込部材６１として鍔付きのねじを用いた場合、鍔部分を内側補強部材７として機能させることもできる。
【００５２】
また、長尺体カバー２の端末部分には、図４に示すように、長尺体Ｐが長手方向に貫通する部分以外の横断面を絞る端末部材５を取り付けることもできる。長尺体カバー固定具１を、この端末部材５を支持する固定具１Ａとして用いる場合には、例えば図４または図１０に示す形状とでき、カバー保持部１４は不要である。また、台座部１３のカバー支持面１３１を平坦面とすることができる。なお、図１０に示した形態では、台座部１３に端末部材５の固定用のねじを取り付けるための凹部１３５が形成されている。
【００５３】
以上、本発明の一実施形態について説明してきたが、本発明は前記実施形態に限定されるものではなく、本発明の要旨を逸脱しない範囲内において種々の変更を加えることができる。
【００５４】
例えば、前記実施形態の長尺体カバー固定具１は樹脂製で、各部が一体形成されていた。しかしこれに限定されない。長尺体カバー固定具１の材質は、全部または一部を金属製とすることもできる。また、各部が別個に形成されていて、例えば図１１に示すように、各部が組み合わされて構成されることもできる。この場合、例えば脚部１２を面で当接する複数部材から構成しておき、積み木状に積むことで、構造物Ｗの表面からの高さを調整可能とできる。また、図１２に示すように、脚部１２をねじにより結合する複数部材１２１〜１２３から構成しておき、各部材の使用数量及びねじ込み度合を調整することで、構造物Ｗの表面からの高さを調整可能とすることもできる。
【００５５】
また、カバー支持面１３１に差込部材用凹部１３３が形成されず、単なる平坦面や湾曲面とすることもできる。また、前記実施形態では、カバー支持面１３１において長尺体Ｐの延びる方向の全長にわたって溝が形成されていた。しかしこれに限られず、カバー支持面１３１において長尺体Ｐの延びる方向の一部にだけ溝が形成されていてもよい。また、差込部材用凹部１３３が形成される場合であっても、溝状ではなく、円形状または多角形状の有底穴とされていてもよい。更に、脚部１２及び基部１１まで達する貫通穴であってもよい。更に、差込部材用凹部１３３が複数形成される場合には、長尺体Ｐの延びる方向に沿って飛び飛びに配置してもよい。
【００５６】
また、ウォールコーナー４の形状は前記実施形態のものに限定されない。例えば、前記実施形態では、図２に示すように背面側に湾曲面を有していたが、背面側形状は特に限定されず、例えば平面を有していてもよい（図２６、図２７参照）。また、背面側には例えば、エアコンの室内機に接続する換気口を設けることもできる。また、ウォールコーナー４における長尺体カバー２との接続部分の、設置時における上下方向寸法も特に限定されない。また、コーキング凹部４１または鍔部４２も種々の形状としてよい。特にコーキング凹部４１に関しては、例えば、上部の所定範囲については図８に示した湾曲形状と同じであって、他の範囲については異なる形状であってもよい（図２８、図２９参照）。また、コーキング凹部４１が全周ではなく部分的に設けられていてもよい。
【００５７】
また固定部材６は、前記実施形態における差込部材６１以外の部材であってもよい。例えば、クランプ、針金、結束バンド、粘着テープ等の、台座部１３への差し込みをすることなく固定がなされる部材（金具）であってもよい。
【００５８】
また、前記実施形態では、長尺体カバー２は台座部１３にて固定部材６により固定されていた。しかしこれに限られず、カバー保持部１４にて固定されることもできる。ただしこの場合、固定部材６として差込部材６１を用いると、長尺体カバー２の側方から差し込む作業を行う必要があるので、作業性がやや低下する。また、固定部材６が長尺体カバー２の側部に露出してしまうため、美観の面でもやや劣る。しかし例えば、長尺体カバー２の設置個所の周囲の状況によってそうせざるを得ない場合にはこの形態を採用してもよい。
【００５９】
また、台座部１３のカバー支持面１３１とカバー保持部の内面は、前記実施形態では一連の湾曲面を形成していた。しかしこれに限られず、台座部１３のカバー支持面１３１とカバー保持部の内面がそれぞれ平面であり各面が屈曲した関係にあってもよい（図２２、図２３参照）。特に、このような形状の長尺体カバー固定具１は、断面形状が多角形状の長尺体カバー２を固定するのに適している。
【００６０】
また、長尺体カバー２内に複数の長尺体Ｐを配置する場合、長尺体カバー２内において複数の長尺体Ｐをバンド等で結束してもよい。更に、当該バンド等を長尺体カバー２に対してねじ止め等によって固定してもよい。
【符号の説明】
【００６１】
１          長尺体カバー固定具
１１      基部
１２      脚部
１３      台座部
１３１    カバー支持面
１３２    差込部材保持部
１３３    差込部材用凹部
１４      カバー保持部
２        長尺体カバー
６        固定部材
６１      差込部材
Ｐ        長尺体
Ｗ        固定対象物、構造物
【図１】
2020173019.tif 000003
【図２】
2020173019.tif 000004
【図３】
2020173019.tif 000005
【図４】
2020173019.tif 000006
【図５】
2020173019.tif 000007
【図６】
2020173019.tif 000008
【図７】
2020173019.tif 000009
【図８】
2020173019.tif 000010
【図９】
2020173019.tif 000011
【図１０】
2020173019.tif 000012
【図１１】
2020173019.tif 000013
【図１２】
2020173019.tif 000014
【図１３】
2020173019.tif 000015
【図１４】
2020173019.tif 000016
【図１５】
2020173019.tif 000017
【図１６】
2020173019.tif 000018
【図１７】
2020173019.tif 000019
【図１８】
2020173019.tif 000020
【図１９】
2020173019.tif 000021
【図２０】
2020173019.tif 000022
【図２１】
2020173019.tif 000023
【図２２】
2020173019.tif 000024
【図２３】
2020173019.tif 000025
【図２４】
2020173019.tif 000026
【図２５】
2020173019.tif 000027
【図２６】
2020173019.tif 000028
【図２７】
2020173019.tif 000029
【図２８】
2020173019.tif 000030
【図２９】
2020173019.tif 000031
【図３０】
2020173019.tif 000032
【図３１】
2020173019.tif 000033
【図３２】
2020173019.tif 000034
【図３３】
2020173019.tif 000035
【図３４】
2020173019.tif 000036
【図３５】
2020173019.tif 000037